(57)【特許請求の範囲】
【請求項１】
被印字媒体を搬送する搬送手段と、
前記搬送手段により搬送される前記被印字媒体に対し、印字を形成する印字手段と、
を有する印字装置であって、
前記被印字媒体に対し印字形成される複数のテキスト文字を操作入力するための操作手段と、
前記被印字媒体に形成される前記複数のテキスト文字にそれぞれ個別に適用するために予め用意されるとともに、それぞれが所定の第１外枠とその第１外枠内の第１印字態様とを備える、複数種類のマーク部を記憶したマーク記憶手段と、
複数の前記マーク部を各マーク部ごとに若しくはそれら複数のマーク部全体として包含するとともに、それぞれが所定の第２外枠とその第２外枠内の第２印字態様とを備える、複数の背景部を記憶した背景記憶手段と、
前記マーク記憶手段に記憶された前記複数種類のマーク部がスクロールにより一覧可能に確認メッセージと共に表示され、当該表示された前記複数種類のマーク部の中から前記操作手段の操作により選択された１種類以上のマーク部を設定する第１設定手段と、
前記背景記憶手段に記憶された前記複数種類の背景部がスクロールにより一覧可能に確認メッセージと共に表示され、当該表示された前記複数種類の背景部の中から前記操作手段の操作により選択された１種類以上の背景部を設定する第２設定手段と、
前記第１設定手段により設定された前記１種類以上のマーク部が、前記操作手段により入力された各テキスト文字ごとに当該テキスト文字を視認可能としつつ重ね合わされ、前記第２設定手段により設定された前記１種類以上の背景部が、前記テキスト文字に重ね合わされた前記マーク部を包含する態様で、印字データを生成する印字データ生成手段と、
前記印字データに対応した印字を前記被印字媒体に形成して印字ラベルを作成するように、前記搬送手段及び前記印字手段を連携して制御する連携制御手段と、
を有することを特徴とする印字装置。
【請求項２】
請求項１記載の印字装置において、
前記印字データ生成手段は、
前記第１印字態様に応じて前記テキスト文字の態様を変化させた、前記印字データを生成する
ことを特徴とする印字装置。
【請求項３】
請求項１記載の印字装置において、
前記印字データ生成手段は、
前記第２印字態様に応じて前記テキスト文字の態様を変化させた、前記印字データを生成する
ことを特徴とする印字装置。
【請求項４】
請求項１記載の印字装置において、
前記印字データ生成手段は、
前記第２印字態様に応じて前記第１印字態様を変化させた、前記印字データを生成することを特徴とする印字装置。
【請求項５】
請求項２又は請求項４記載の印字装置において、
前記印字データ生成手段は、
前記第１印字態様でそれぞれ塗りつぶされた複数の前記第１外枠内を、対応する前記テキスト文字によりそれぞれ切り抜いた態様の前記印字データを生成する
ことを特徴とする印字装置。
【請求項６】
請求項２乃至請求項４のいずれか１項記載の印字装置において、
前記印字データ生成手段は、
前記第２印字態様でそれぞれ塗りつぶされた複数の前記第２外枠内に、前記第１外枠内を前記第１印字態様で塗りつぶした対応する前記マーク部をそれぞれ配置し、各マーク部の前記第１外枠内に、対応する前記テキスト文字を配置した態様の前記印字データを生成する
ことを特徴とする印字装置。
【請求項７】
請求項２乃至請求項４のいずれか１項記載の印字装置において、
前記印字データ生成手段は、
前記第２印字態様で塗りつぶされた共通の１つの前記第２外枠内に、前記第１外枠内を前記第１印字態様でそれぞれ塗りつぶした複数の前記マーク部を配置し、各マーク部の前記第１外枠内に、対応する前記テキスト文字を配置した態様の前記印字データを生成する
ことを特徴とする印字装置。
【請求項８】
請求項３又は請求項４記載の印字装置において、
前記印字データ生成手段は、
前記第２印字態様でそれぞれ塗りつぶされた複数の前記第１外枠内を、対応する前記テキスト文字により切り抜いた態様の前記印字データを生成する
ことを特徴とする印字装置。
【請求項９】
請求項１乃至請求項８のいずれか１項記載の印字装置において、
前記印字データ生成手段は、
１文字ごとに個別に書式設定がなされた前記テキスト文字を含む、前記印字データを生成する
ことを特徴とする印字装置。
【発明の詳細な説明】
【技術分野】
【０００１】
本発明は、被印字媒体に印字を行う印字装置に関する。
【背景技術】
【０００２】
被印字媒体に印字を形成する印字装置が知られている（例えば、特許文献１参照）。この印字装置（印字ラベル作成装置）では、操作者の所望の複数のテキスト文字に加え、画像やシンボル等からなるマーク部を印字形成することができる。
【先行技術文献】
【特許文献】
【０００３】
【特許文献１】特開２０１３−１９３３２５号公報
【発明の概要】
【発明が解決しようとする課題】
【０００４】
上記従来技術では、複数のテキスト文字の、搬送方向に沿った傍ら（すなわち重なり合わない位置）に上記マーク部が印字形成されるのみである。このマーク部を、テキスト文字に重なり合うように印字形成できれば、多彩な印字を表現性豊かに形成することができるはずである。上記従来技術では、そのような点までは特に配慮されていなかった。
【０００５】
本発明の目的は、テキスト文字ごとに適宜のマーク部が重ね合わされた態様の印字を形成することで、多彩な印字を表現性豊かに形成できる印字装置を提供することにある。
【課題を解決するための手段】
【０００６】
上記目的を達成するために、本願発明は、被印字媒体を搬送する搬送手段と、前記搬送手段により搬送される前記被印字媒体に対し、印字を形成する印字手段と、を有する印字装置であって、前記被印字媒体に対し印字形成される複数のテキスト文字を操作入力するための操作手段と、前記被印字媒体に形成される前記複数のテキスト文字にそれぞれ個別に適用するために予め用意されるとともに、それぞれが所定の第１外枠とその第１外枠内の第１印字態様とを備える、複数種類のマーク部を記憶したマーク記憶手段と、複数の前記マーク部を各マーク部ごとに若しくはそれら複数のマーク部全体として包含するとともに、それぞれが所定の第２外枠とその第２外枠内の第２印字態様とを備える、複数の背景部を記憶した背景記憶手段と、前記マーク記憶手段に記憶された前記複数種類のマーク部がスクロールにより一覧可能に確認メッセージと共に表示され、当該表示された前記複数種類のマーク部の中から前記操作手段の操作により選択された１種類以上のマーク部を設定する第１設定手段と、前記背景記憶手段に記憶された前記複数種類の背景部がスクロールにより一覧可能に確認メッセージと共に表示され、当該表示された前記複数種類の背景部の中から前記操作手段の操作により選択された１種類以上の背景部を設定する第２設定手段と、前記第１設定手段により設定された前記１種類以上のマーク部が、前記操作手段により入力された各テキスト文字ごとに当該テキスト文字を視認可能としつつ重ね合わされ、前記第２設定手段により設定された前記１種類以上の背景部が、前記テキスト文字に重ね合わされた前記マーク部を包含する態様で、印字データを生成する印字データ生成手段と、前記印字データに対応した印字を前記被印字媒体に形成して印字ラベルを作成するように、前記搬送手段及び前記印字手段を連携して制御する連携制御手段と、を有することを特徴とする。
【０００７】
本願発明の印字装置においては、操作者が意図する所望の複数のテキスト文字を表記する印字を被印字媒体に形成することができる。そして、その作成時において、各テキスト文字ごとに、画像やシンボル等からなるマーク部を重ね合わせるように印字形成することができる。
【０００８】
すなわち、記憶手段に、複数種類の上記マーク部が記憶されている。各マーク部は、所定の第１外枠を備えており、その第１外枠内が、対応する第１印字態様に印字形成される。そして、操作手段を介して操作者が入力した上記複数のテキスト文字に対し、設定手段が、上記記憶手段に記憶された複数種類のマーク部から１種類以上のマーク部を選択し、当該テキスト文字に使用するマーク部として設定する。印字データ生成手段は、上記設定したマーク部を、各テキスト文字ごとに（当該テキスト文字を視認可能となるように）重ね合わせた態様とした、印字データを生成する。そして、この生成された印字データに基づき、連携制御手段の制御によって、対応する印字が形成される。
【０００９】
以上の結果、操作者が、複数のテキスト文字の入力操作を行うと、各テキスト文字ごとに適宜のマーク部がそれぞれ重ね合わされた態様の、印字を形成することができる。したがって、テキスト文字の傍らにマーク部を配置するだけの従来手法に比べ、テキスト文字において種々多様な表現態様を実現することができる。この結果、操作者の用途や好みに応じ、多彩な印字を表現性豊かに形成することができるので、利便性を向上することができる。
【発明の効果】
【００１０】
本発明によれば、多彩な印字を表現性豊かに形成でき、操作者の利便性を向上することができる。
【図面の簡単な説明】
【００１１】
【図１】本発明の第１実施形態における印字装置を斜め上方向から見た外観を表す斜視図である。
【図２】下カバーを開放した状態の印字装置を斜め下方向から見た外観を表す斜視図である。
【図３】カートリッジの内部構造を模式的に表す拡大平面図である。
【図４】印字装置の制御系を表す機能ブロック図である。
【図５】マーク部内にテキスト文字が配置されて印字ラベルが作成される流れを説明するための説明図である。
【図６】ＣＰＵによって実行される制御手順を表すフローチャートである。
【図７】本発明の第２実施形態において、背景部内のマーク部内にテキスト文字が配置されて印字ラベルが作成される流れを説明するための説明図である。
【図８】ＣＰＵによって実行される制御手順を表すフローチャートである。
【図９】複数のマーク部を共通の１つの背景部内に配置する変形例において、背景部内のマーク部内にテキスト文字が配置されて印字ラベルが作成される流れを説明するための説明図である。
【図１０】マーク部内を背景部の色で塗りつぶす変形例において、背景部内のマーク部内にテキスト文字が配置されて印字ラベルが作成される流れを説明するための説明図である。
【発明を実施するための形態】
【００１２】
以下、本発明の実施形態を図面を参照しつつ説明する。
【００１３】
本発明の第１実施形態を図１〜図６により説明する。
【００１４】
本実施形態の印字装置の概略構成について、図１〜図３を用いて説明する。図１において、この印字ラベル作成装置１（印字装置に相当）は、所望の印字を行った印字済みラベル用テープを所定の長さに切断することにより、印字ラベルＬ（後述の図５及び図７等参照）を作成する。なお、本実施形態において印字ラベル作成装置１の前・後・左・右・上・下というときは、図１及び図２等に示す方向を指す。
【００１５】
＜全体概略構成＞
図１及び図２に示すように、印字ラベル作成装置１の筐体２は、装置下面を構成する下カバー１５と、装置側面を構成する横カバー１６と、装置上面を構成する上カバー１７とにより構成されている。上カバー１７には、前方向から後方向に向けて、文字入力等の種々の操作が行われるキーボード３（操作手段に相当）、印字ラベル作成装置１の各種機能を実行させるための機能キー群４、及び、入力した文字や記号等を表示するための液晶ディスプレイ５が設けられている。機能キー群４には、この例では、電源スイッチ４Ｂ、印刷キー４Ｃ等が含まれている。また横カバー１６の右側後方には、印刷された印刷済ラベル用テープ１０９（後述の図３参照）をカットするためのカッターレバー７が設けられている。
【００１６】
印字ラベル作成装置１の上側後方には、カートリッジ８を着脱可能なカートリッジホルダ９が設けられている。このカートリッジホルダ９は、印字ラベル作成装置１の前端部を回転軸として開閉可能に構成された上記下カバー１５を閉じると覆われ、下カバー１５を開放すると露出する。
【００１７】
また、図２に示すように、印字ラベル作成装置１の上側後方には、カートリッジホルダ９に隣接して、電池ＢＴ（後述の図４参照）を複数個収納可能な電池収納部７０が設けられている。なお、図２中、符号６０は、外部電源としてのＡＣアダプタ２２０（後述の図４参照）の出力プラグが接続されるＤＣジャックである。
【００１８】
＜カートリッジ＞
図３に示すように、カートリッジ８は、筐体８Ａと、この筐体８Ａ内に配置され帯状の基材テープ１０１が巻回された第１ロール１０２（実際は渦巻き状であるが、図では簡略的に同心円状に示す）と、上記基材テープ１０１と略同じ幅である、透明なカバーフィルム１０３（被印字媒体に相当）が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のインクリボン１０５を巻取るリボン巻取りローラ１０６と、カートリッジ８のテープ排出部の近傍に回転可能に支持されたテープ送りローラ２７と、を有する。
【００１９】
テープ送りローラ２７は、上記基材テープ１０１と上記カバーフィルム１０３とを押圧し接着させ印字済みラベル用テープ１０９としつつ、図３中矢印Ａで示す方向にテープ送りを行う。
【００２０】
第１ロール１０２は、リール部材１０２ａの周りに上記基材テープ１０１を巻回している。基材テープ１０１はこの例では４層構造となっており、詳細な図示を省略するが、内側に巻かれる側よりその反対側へ向かって、適宜の粘着剤からなる貼り合わせ用粘着層、ＰＥＴ（ポリエチレンテレフタラート）等から成る色付きのベースフィルム、適宜の粘着剤からなる貼り付け用粘着層、剥離紙の順序で積層され構成されている。
【００２１】
第２ロール１０４は、リール部材１０４ａの周りに上記カバーフィルム１０３を巻回している。第２ロール１０４より繰り出されるカバーフィルム１０３の裏面に、インクリボン１０５がサーマルヘッド２３（印字手段に相当）に押圧されて当接させられる。
【００２２】
このとき、上記のカートリッジ８の構成に対応して、カートリッジホルダ９には、上記使用済みのインクリボン１０５を巻き取るためのリボン巻き取り軸１０７と、印字済みラベル用テープ１０９を搬送するための上記テープ送りローラ２７を駆動するためのテープ送りローラ駆動軸１０８（搬送手段に相当）とが設けられている。またカートリッジホルダ９には、カバーフィルム１０３に所望の印刷を行う上記サーマルヘッド２３が、カートリッジ８の装着時にカートリッジ８の開口部１４（図２参照）に位置するように設けられている。
【００２３】
リボン巻取りローラ１０６及びテープ送りローラ２７は、カートリッジ８外に設けた例えばパルスモータである駆動モータ２１１（後述の図４参照）の駆動力が、図示しないギヤ機構を介し上記リボン巻取りローラ駆動軸１０７及び上記テープ送りローラ駆動軸１０８に伝達されることによって、互いに連動し回転駆動される。
【００２４】
上記構成において、カートリッジ８が上記カートリッジホルダ９に装着されロールホルダがリリース位置（図示省略）から図３に示す印字位置に移動されると、カバーフィルム１０３及びインクリボン１０５が、上記サーマルヘッド２３と、このサーマルヘッド２３に対向して設けたプラテンローラ２６との間に狭持される。これとともに、基材テープ１０１及びカバーフィルム１０３が、テープ送りローラ２７と、テープ送りローラ２７に対向して設けた圧着ローラ２８との間に狭持される。そして、上記駆動モータの駆動力によって、リボン巻取りローラ１０６及びテープ送りローラ２７が、図３中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。
【００２５】
一方、第２ロール１０４からはカバーフィルム１０３が繰り出されるとともに、サーマルヘッド制御回路２１７（後述の図４参照）によりサーマルヘッド２３に設けられた複数の発熱素子が通電され、発熱する。このとき、カバーフィルム１０３の裏面側（すなわち上記基材テープと接着される側）には、リボン巻取りローラ１０６により駆動されるインクリボン１０５が、上記サーマルヘッド２３に押圧されて当接させられる。この結果、カバーフィルム１０３の裏面に、所望の印字内容の印字データに対応した印字（詳細は後述）が印刷される。
【００２６】
そして、上記基材テープ１０１と上記印刷が終了したカバーフィルム１０３とが、上記テープ送りローラ２７及び圧着ローラ２８の押圧により上記貼り合わせ用粘着層により接着されて一体化され、印字済みラベル用テープ１０９として形成され、カートリッジ８外へと排出される。カバーフィルム１０３への印字が終了したインクリボン１０５は、リボン巻取りローラ駆動軸１０７の駆動によりリボン巻取りローラ１０６に巻取られる。
【００２７】
カートリッジ８外へ排出された印字済みラベル用テープ１０９の搬送経路の下流側には、固定刃４０と可動刃４１を備えた切断機構４２が設けられている。上記カッターレバー７が操作されることにより可動刃４１が動作し、上記印字済みラベル用テープ１０９が切断され、印字ラベルＬ（後述の図５等参照）が生成される。
【００２８】
＜制御系＞
次に、図４を用いて、印字ラベル作成装置１の制御系について説明する。
【００２９】
図４において、印字ラベル作成装置１は、所定の演算を行うＣＰＵ２１２を有している。
【００３０】
ＣＰＵ２１２には、上記液晶ディスプレイ５と、ＥＥＰＲＯＭ２１４と、ＲＡＭ２１３と、が接続されている。またＣＰＵ２１２は、ＡＣアダプタ２２０に接続され印字ラベル作成装置１の電源のオン・オフ処理を行う電源回路２１５と、上記リボン巻取りローラ駆動軸１０７及び上記テープ送りローラ駆動軸１０８を駆動する駆動モータ２１１の駆動制御を行うモータ駆動回路２１６と、上記サーマルヘッド２３の発熱素子の通電制御を行うサーマルヘッド制御回路２１７とに接続されている。
【００３１】
ＥＥＰＲＯＭ２１４には、各種制御プログラム（後述の図６、図８等のフローを実行する制御プログラムを含む）が記憶されている。ＣＰＵ２１２は、ＲＡＭ２１３の一時記憶機能を利用しつつＥＥＰＲＯＭ２１４に予め記憶されたプログラムに従って信号処理を行い、それによって印字ラベル作成装置１全体の制御を行う。
【００３２】
また、ＥＥＰＲＯＭ２１４内には、複数種類の画像やシンボル等のマーク部（後述するマーク部Ｍ１１，Ｔ１２，Ｔ１３，Ｔ１４，Ｔ１５，Ｔ１６・・・参照）を記憶したマーク記憶部２１４ａ（記憶手段に相当）と、複数種類の背景部（後述する背景部Ｋ１１，Ｋ１２，Ｋ１３，Ｋ１４，Ｋ１５，Ｋ１６，Ｋ１７，Ｋ１８・・・参照）を記憶した背景記憶部２１４ｂと、を備えている。なお、これらマーク記憶部２１４ａと背景記憶部２１４ｂに関しては後述する。
【００３３】
＜実施形態の特徴＞
上記のようにして生成される印字ラベルＬには、複数のテキスト文字Ｔと、複数のマーク部と、が重なり合うように印字形成される（後述の図５参照）。本実施形態の最大の特徴は、各テキスト文字Ｔに対し、上記マーク部を操作者の所望の態様に配置する手法にある。以下、その詳細を順を追って説明する。
【００３４】
＜テキスト文字の入力＞
本実施形態では、例えば、まず図５（ａ）に示すように、操作者によるキーボード３又は機能キー群４等の適宜の操作により、上記液晶ディスプレイ５に、上記テキスト文字Ｔ等の入力を行うためのテキスト編集画面５Ａが表示される。この状態で、図５（ｂ）に示すように、操作者は、上記キーボード３等を用いてテキスト文字Ｔ（又はシンボルでもよい）の入力を行う。この例では、「ＡＢＣＤＥ」からなるテキスト文字Ｔが例えばゴシック体で入力されている。
【００３５】
＜マーク部の選択＞
その後、上記テキスト入力画面５Ａにおいて、例えば上記機能キー群４を用いて、予め用意され上記マーク記憶部２１４ａに記憶されていた複数のマーク部Ｍ１１，Ｍ１２，Ｍ１３，Ｍ１４，Ｍ１５，Ｍ１６・・・が、例えばスクロールにより一覧可能に表示される。
【００３６】
この例では、上記マーク部として、「ハート型」の外枠Ｆ１１（第１外枠に相当）とその中の一色塗りつぶし部分（この例では黒ベタ塗りつぶし部分。以下適宜、単に「黒ベタ塗りつぶし部分」という）Ｇ１１（第１印字態様に相当）とを備えたマーク部Ｍ１１と、「星型」の外枠Ｆ１２（第１外枠に相当）とその中の黒ベタ塗りつぶし部分Ｇ１２（第１印字態様に相当）とを備えたマーク部Ｍ１２と、「ダイヤ型」の外枠Ｆ１３（第１外枠に相当）とその中の黒ベタ塗りつぶし部分Ｇ１３（第１印字態様に相当）とを備えたマーク部Ｍ１３と、「楕円型」の外枠Ｆ１４（第１外枠に相当）とその中の黒ベタ塗りつぶし部分Ｇ１４（第１印字態様に相当）とを備えたマーク部Ｍ１４と、「太陽型」の外枠Ｆ１５（第１外枠に相当）とその中の黒ベタ塗りつぶし部分Ｇ１５（第１印字態様に相当）とを備えたマーク部Ｍ１５と、「兜型」の外枠Ｆ１６（第１外枠に相当）とその中の黒ベタ塗りつぶし部分Ｇ１６（第１印字態様に相当）とを備えたマーク部Ｍ１６、等が上記ＥＥＰＲＯＭ２１４のマーク記憶部２１４ａに記憶されており、それらマーク部Ｍ１１〜Ｍ１６が一覧可能にテキスト入力画面５Ａ（又は別画面若しくは別ウィンドウ等でもよい）に表示される。
【００３７】
操作者は、上記マーク部Ｍ１１〜Ｍ１６等のうち、上記テキスト文字Ｔにそれぞれ個別に適用したいと意図する、１つ（複数を選択可能としてもよい）のマーク部を選択する、選択操作を行う。
【００３８】
この例では、図５（ｃ）に示すように、操作者によるキーボード３又は機能キー群４等の適宜の操作により、上記テキスト編集画面５Ａにおいて、「ハート型」の外枠Ｆ１１を備えた上記マーク部Ｍ１１が選択されている。なお、このとき、「マークをこれにしますか？」の確認メッセージが併せて表示されている。
【００３９】
上記確認メッセージに対応して操作者がキーボード３又は機能キー群４等を用いて適宜の確認操作を行うと、以上の入力結果・選択結果に対応して、印字ラベルＬが生成される。この例では、内部がそれぞれ黒ベタで塗りつぶされた複数の上記マーク部Ｍ１１の外枠Ｆ１１内を、対応する上記テキスト文字Ｔ（この例では「Ａ」の文字Ｔ１、「Ｂ」の文字Ｔ２、「Ｃ」の文字Ｔ３、「Ｄ」の文字Ｔ４、「Ｅ」の文字Ｔ５）によりそれぞれ切り抜いた態様、言い替えれば１文字ごとにマーク部Ｍ１１がつけられた態様、の印字ラベルＬが生成される（図５（ｄ）参照）。
【００４０】
なお、上記においては、マーク部Ｍ１１内部のテキスト文字Ｔが、当該マーク部Ｍ１１の外枠Ｆ１に（交錯することなく）収まる形で配置される場合を例にとって説明している。しかしながら、テキスト文字Ｔのフォントサイズを大サイズに変更したり、マーク部Ｍ１１とテキスト文字Ｔとの各位置を互いにずらす等することで、テキスト文字Ｔの一部がマーク部Ｍ１１からはみ出す態様としても良い。
【００４１】
＜制御手順＞
以上説明した手法を実現するために、ＣＰＵ２１２によって実行される処理手順を表すフローを図６に示す。
【００４２】
図６において、例えば操作者が上記機能キー群４の上記電源スイッチ４Ｂを操作することにより、このフローが開始される。
【００４３】
まず、ステップＳ１０では、ＣＰＵ２１２は、液晶ディスプレイ５に表示信号を出力し、前述のテキスト編集画面５Ａを表示させる（上記図５（ａ）参照）。
【００４４】
その後、ステップＳ２０で、ＣＰＵ２１２は、操作者がキーボード３を介して実行した前述のテキスト文字Ｔの入力操作を受付ける（上記図５（ｂ）参照）。
【００４５】
そして、ステップＳ３０で、ＣＰＵ２１２は、ステップＳ２０で受け付けたテキスト文字Ｔに対し、上記マーク記憶部２１４ａに記憶されたマーク部Ｍ１１〜Ｍ１６等のうちいずれか１つを選択する操作が、適宜の機能キー群４又はキーボード３等を介してなされたか否かを判定する。上記選択操作がなされていない場合は、ステップＳ３０の判定が満たされず（Ｓ３０：ＮＯ）、ステップＳ３０の判定が満たされるまでループ待機する。上記選択操作がなされた場合は、ステップＳ３０の判定が満たされ（Ｓ３０：ＹＥＳ）、ステップＳ４０に移行する。
【００４６】
ステップＳ４０では、ＣＰＵ２１２は、上記ステップＳ３０で選択されたマーク部（前述の例では、「ハート型」のマーク部Ｍ１１）を、使用するマークとして設定する。なお、このステップＳ４０を実行するＣＰＵ２１２が、各請求項記載の設定手段として機能する。
【００４７】
その後、ステップＳ５２で、ＣＰＵ２１２は、上記印刷キー４Ｃが押されたか否かを判定する。印刷キー４Ｃが押されていない場合は、ステップＳ５２の判定が満たされず（Ｓ５２：ＮＯ）、ステップＳ５２の判定が満たされるまでループ待機する。印刷キー４Ｃが押された場合は、ステップＳ５２の判定が満たされ（Ｓ５２：ＹＥＳ）、ステップＳ６０に移行する。
【００４８】
ステップＳ６０では、ＣＰＵ２１２は、上記ステップＳ４０で設定されたマーク部Ｍ１１内に、上記ステップＳ２０で操作入力された上記テキスト文字Ｔを視認可能として重ね合わせて配置した態様の、印字データを生成する。なお、このステップＳ６０を実行するＣＰＵ２１２が本実施形態における印字データ生成手段として機能する。
【００４９】
なお、このステップＳ６０で、上記ステップＳ３０で選択されたマーク部の外枠内の印字態様に応じて、テキスト文字Ｔの態様を変化させるようにしてもよい。例えばマーク部の外枠内の印字態様が透明である場合は通常のテキスト文字Ｔとし、マーク部内の外枠内の印字態様が淡い色のメッシュである場合は縁取り付きのテキスト文字Ｔとし、マーク部内の外枠内の印字態様が濃い色のメッシュあるいは黒ベタ塗り（上記の例の場合）である場合は縁取りなしのテキスト文字Ｔとしてもよい。この場合、臨機応変に見やすいデザインを実現することができる。
【００５０】
その後、ステップＳ７０で、ＣＰＵ２１２は、モータ駆動回路２１６に制御信号を出力し、駆動モータ２１１によりテープ送りローラ駆動軸１０８及びリボン巻取りローラ駆動軸１０７を駆動開始する。これにより、カバーフィルム１０３、基材テープ１０１、及び印字済みラベル用テープ１０９（以下適宜、単にカバーフィルム１０３等」という）の搬送が開始される。
【００５１】
そして、ステップＳ８０で、ＣＰＵ２１２は、上記ステップＳ６０で生成された印字データに基づき、上記のようにして搬送されるカバーフィルム１０３等が所定の印字領域の開始位置まで搬送されたかどうか（印字領域の前端に印字ヘッド２３が正対する搬送方向位置になるまでカバーフィルム１０３等が搬送されたかどうか）、を判定する。この判定は、例えばステッピングモータからなる上記駆動モータ２１１のパルス数をカウントする等、公知の適宜の手法により行えば足りる。カバーフィルム１０３等が印字領域の開始位置まで搬送されていなければステップＳ８０の判定が満たされず（Ｓ８０：ＮＯ）、ステップＳ８０の判定が満たされるまでループ待機する。カバーフィルム１０３等が印字領域の開始位置まで搬送されたらステップＳ８０の判定が満たされ（Ｓ８０：ＹＥＳ）、ステップＳ９０に移る。
【００５２】
ステップＳ９０では、ＣＰＵ２１２は、ステップＳ６０で生成された印字データに基づきサーマルヘッド２３の発熱素子に通電を行う印字処理を行う。これにより、カバーフィルム１０３に、上記通電された発熱素子によりインクリボン１０５のインクが転写され、上記印字データに対応した印字が形成される。
【００５３】
その後、ステップＳ１００では、ＣＰＵ２１２は、搬送されるカバーフィルム１０３等が印字領域の終了位置まで搬送されたかどうか（印字領域の後端に印字ヘッド２３が正対する搬送方向位置になるまでカバーフィルム１０３等が搬送されたかどうか）、を判定する。この判定も上記同様の公知の手法により行えば足りる。カバーフィルム１０３等が印字領域の終了位置まで搬送されていなければステップＳ１００の判定が満たされず（Ｓ１００：ＮＯ）、ステップＳ９０に戻って同様の手順を繰り返す。カバーフィルム１０３等が印字領域の終了位置まで搬送されていればステップＳ１００の判定が満たされ（Ｓ１００：ＹＥＳ）、ステップＳ１１０に移る。
【００５４】
ステップＳ１１０では、ＣＰＵ２１２は、上記ステップＳ６０で生成された印字データに基づき、搬送されるカバーフィルム１０３等が、上記印字データに基づき印字領域よりラベル後端側に設定される所定の切断位置まで搬送されたかどうか（上記切断位置に上記可動刃４１が正対する搬送方向位置になるまで、印字済みラベル用テープ１０９が搬送されたかどうか）、を判定する。この判定も、前述と同様の公知の手法により行えば足りる。カバーフィルム１０３等が切断位置まで搬送されていなければステップＳ１１０の判定が満たされず（Ｓ１１０：ＮＯ）、ステップＳ１１０の判定が満たされるまでループ待機する。カバーフィルム１０３等が切断位置まで搬送されたらステップＳ１１０の判定が満たされ（Ｓ１１０：ＹＥＳ）、ステップＳ１２０に移る。
【００５５】
ステップＳ１２０では、ＣＰＵ２１２は、モータ駆動回路２１６に制御信号を出力し、駆動モータ２１１によるテープ送りローラ駆動軸１０８及びリボン巻取りローラ駆動軸１０７の駆動を停止する。これにより、カバーフィルム１０３、基材テープ１０１、及び印字済みラベル用テープ１０９の搬送が停止する。なお、上記ステップＳ７０〜ステップＳ１２０を実行するＣＰＵ２１２が各請求項記載の連携制御手段として機能する。
【００５６】
その後、ステップＳ１３０で、ＣＰＵ２１２は、液晶ディスプレイ５に表示信号を出力する。これにより、操作者に対し、カッターレバー７を操作し切断機構１５を動作させ上記印字済みラベル用テープ１０９を切断するよう促す、適宜の表示が液晶ディスプレイ５において行われる。操作者がカッターレバー７を操作することで、印字済ラベル用テープ１０９の切断が行われ、上記ステップＳ４０で設定されたマーク部Ｍ１１内に上記ステップＳ２０で操作入力されたテキスト文字Ｔを配置した態様の印字が形成された、印字ラベルＬが生成される（図５（ｄ）参照）。その後、このフローを終了する。
【００５７】
＜第１実施形態の効果＞
以上説明したように、本実施形態では、操作者が、複数のテキスト文字Ｔの入力操作を行うとともに各テキスト文字Ｔに適用したいマーク部の選択を行うことで、各テキスト文字Ｔごとに適宜のマーク部（上記の例ではマーク部Ｍ１１）がそれぞれ重ね合わされた態様の印字ラベルＬを作成することができる（図５（ｄ）参照）。したがって、テキスト文字の傍らにマーク部を配置するだけの従来手法に比べ、テキスト文字Ｔにおいて種々多様な表現態様を実現することができる。この結果、操作者の用途や好みに応じ、多彩な印字ラベルＬを表現性豊かに作成することができるので、利便性を向上することができる。
【００５８】
また、本実施形態では特に、印字ラベルＬにおいて、各テキスト文字Ｔ１〜Ｔ５が、対応するマーク部（上記の例ではマーク部Ｍ１１）の外枠（上記の例では外枠Ｆ１１）内に視認可能に配置される（図５（ｄ）参照）。これにより、マーク部Ｍ１１において外枠Ｆ１とテキスト文字Ｔとの交錯のない、すっきりと見やすい態様の印字ラベルＬを確実に作成することができる。
【００５９】
また、本実施形態では特に、それぞれ所望の印字態様で塗りつぶされた各マーク部Ｍ１１等を適宜の色の各テキスト文字Ｔ１〜Ｔ５で切り抜いた態様の、印字ラベルＬを作成することができる。このような多彩な印字ラベルＬを容易かつ確実に作成することができるので、操作者の利便性を確実に向上することができる。
【００６０】
次に、本発明の第２実施形態を図７及び図８により説明する。この実施形態では、各マーク部を包含する背景部（後述）を備えた印字ラベルを作成する場合の実施形態である。上記第１実施形態と同等の部分には同一の符号を付し、適宜説明を省略又は簡略化する。
【００６１】
＜テキスト文字の入力＞
本実施形態でも、上記第１実施形態と同様、例えば、まず図７（ａ）に示すように、操作者によるキーボード３又は機能キー群４等の適宜の操作により、上記液晶ディスプレイ５に、上記テキスト文字Ｔ等の入力を行うためのテキスト編集画面５Ａが表示される。この状態で、図７（ｂ）に示すように、操作者は、上記キーボード３等を用いてテキスト文字Ｔ（又はシンボルでもよい）の入力を行う。この例では、上記同様、「ＡＢＣＤＥ」からなるテキスト文字Ｔが例えばゴシック体で入力されている。
【００６２】
＜背景部の選択＞
その後、上記テキスト入力画面５Ａにおいて、例えば上記機能キー群４を用いて、予め用意され上記背景記憶部２１４ｂに記憶されていた複数の背景部Ｋ１１，Ｋ１２，Ｋ１３，Ｋ１４，Ｋ１５，Ｋ１６，Ｋ１７，Ｋ１８・・・（図示の例では正確には背景部の印字態様の内容を表す背景部のアウトライン。以下適宜、単に「背景部」という）が、例えばスクロールにより一覧可能に表示される。
【００６３】
この例では、上記背景部として、市松模様Ｊ１１（第２印字態様に相当）を備えた背景部Ｋ１１と、ダイヤ連鎖模様Ｊ１２（第２印字態様に相当）を備えた背景部Ｋ１２と、碁盤目模様Ｊ１３（第２印字態様に相当）を備えた背景部Ｋ１３と、レンガ壁模様Ｊ１４（第２印字態様に相当）を備えた背景部Ｋ１４と、網掛け模様Ｊ１５（第２印字態様に相当）を備えた背景部Ｋ１５と、斜線ハッチングＪ１６（第２印字態様に相当）を備えた背景部Ｋ１６と、波形ハッチングＪ１７（第２印字態様に相当）を備えた背景部Ｋ１７と、網模様Ｊ１８（第２印字態様に相当）を備えた背景部Ｋ１８と、等が上記ＥＥＰＲＯＭ２１４の背景記憶部２１４ｂに記憶されており、それら背景部Ｋ１１〜Ｋ１８が一覧可能にテキスト入力画面５Ａ（又は別画面若しくは別ウィンドウ等でもよい）に表示される。
【００６４】
操作者は、上記背景部Ｋ１１〜Ｋ１８等のうち、上記テキスト文字Ｔにそれぞれ個別に適用したいと意図する、１つ（複数を選択可能としてもよい）の背景部を選択する、選択操作を行う。
【００６５】
この例では、図７（ｃ）に示すように、操作者によるキーボード３又は機能キー群４等の適宜の操作により、上記テキスト編集画面５Ａにおいて、市松模様Ｊ１１を備えた背景部Ｋ１１が選択されている。なお、このとき、「背景をこれにしますか？」の確認メッセージが併せて表示されている。
【００６６】
＜マーク部の選択＞
上記確認メッセージに対応して操作者がキーボード３又は機能キー群４等を用いて適宜の確認操作を行うと、上記テキスト入力画面５Ａにおいて、上記第１実施形態と同様のマーク部の選択が行われる。
【００６７】
すなわち上記マーク記憶部２１４ａに記憶されていた前述のマーク部Ｍ１１，Ｍ１２，Ｍ１３，Ｍ１４，Ｍ１５，Ｍ１６・・・がスクロールにより一覧可能に表示される。操作者が、上記マーク部Ｍ１１〜Ｍ１６等のうち、上記テキスト文字Ｔにそれぞれ個別に適用したいと意図する、１つ（複数を選択可能としてもよい）のマーク部を選択する、選択操作を行う。
【００６８】
この例では、上記第１実施形態と同様、図７（ｄ）に示すように、操作者によるキーボード３又は機能キー群４等の適宜の操作により、上記テキスト編集画面５Ａにおいて、「ハート型」の外枠Ｆ１１を備えた上記マーク部Ｍ１１が選択され、「マークをこれにしますか？」の確認メッセージが併せて表示されている。
【００６９】
上記確認メッセージに対応して操作者がキーボード３又は機能キー群４等を用いて適宜の確認操作を行うと、以上の入力結果・選択結果に対応して、印字ラベルＬが生成される。この例では、それぞれが対応する上記テキスト文字Ｔ１，Ｔ２，Ｔ３，Ｔ４，Ｔ５に重ね合わされた複数の上記マーク部Ｍ１１（外枠Ｆ１１及び一色塗りつぶし部分Ｇ１１を備える）を、各マーク部ごとに背景部Ｋ１１が包含した態様で、印字ラベルＬが生成される（図７（ｅ）参照）。
【００７０】
このとき、各背景部Ｋ１１は、長方形の外枠Ｈ１１（第２外枠に相当）とその外枠Ｈ１１内を塗りつぶすための上記市松模様Ｊ１１と、を備えている。したがって、言い替えれば、印字ラベルＬは、市松模様Ｊ１１でそれぞれ塗りつぶされた複数（この例では５個）の長方形の外枠Ｈ１１内に、外枠Ｆ１１内を一色塗りつぶし部分Ｇ１１とした５個の各マーク部Ｍ１１がそれぞれ配置され、かつ、各マーク部Ｍ１１の外枠Ｆ１１内に、対応する上記テキスト文字Ｔ１，Ｔ２，Ｔ３，Ｔ４，Ｔ５が配置された態様（背景部Ｋ１１をマーク部Ｍ１１の外枠Ｆ１で切り抜き、その中に上記テキスト文字Ｔ１〜Ｔ５が入れられた態様）となっている。
【００７１】
なお、このとき、各マーク部Ｍ１１の一色塗りつぶし部分Ｇ１１の色は、上記背景部Ｋ１１の外枠Ｈ１１内の内部が市松模様Ｊ１１であることに対応して、白色塗りつぶしとなっている。
【００７２】
なお、上記のような作成手法において、図７（ｆ）に示すように、各マーク部Ｍ１１のテキスト文字Ｔごとに書式設定（この例ではフォント種類）を変えても良い。この例では、各マーク部Ｍ１１内にそれぞれ配置される５つのテキスト文字Ｔ（「Ａ」「Ｂ」「Ｃ」「Ｄ」「Ｅ」）のうち、「Ａ］のテキスト文字Ｔ１が通常太さのゴシック体とし、「Ｂ」のテキスト文字Ｔ２が太字体、「Ｃ」のテキスト文字Ｔ３が斜字体、「Ｄ」のテキスト文字Ｔ４がＴｉｍｅｓＮｅｗＲｏｍａｎ、「Ｅ」のテキスト文字Ｔ５が明朝体となっている。
【００７３】
＜制御手順＞
以上説明した手法を実現するために、本実施形態のＣＰＵ２１２によって実行される処理手順を表すフローを図８に示す。なお、上記第１実施形態の上記図６と同等の部分には同一の符号を付し、適宜説明を省略又は簡略化する。
【００７４】
図８に示す本変形例のフローにおいては、上記図６のステップＳ２０とステップＳ３０との間に新たにステップＳ２１及びステップＳ２２が設けられ、さらに、上記図６のステップＳ６０に代えてステップＳ６０′が設けられている。
【００７５】
すなわち、上記図６と同様のステップＳ１０及びステップＳ２０を経た後、新たに設けたステップＳ２１に移る。このステップＳ２１では、ＣＰＵ２１２は、上記ステップＳ２０で受け付けたテキスト文字Ｔに対し、上記背景記憶部２１４ｂに記憶されたマーク部Ｍ１１〜Ｍ１６等のうちいずれか１つを選択する操作が、適宜の機能キー群４又はキーボード３等を介してなされたか否かを判定する。上記選択操作がなされていない場合は、ステップＳ２１の判定が満たされず（Ｓ２１：ＮＯ）、ステップＳ２１の判定が満たされるまでループ待機する。上記選択操作がなされた場合は、ステップＳ２１の判定が満たされ（Ｓ２１：ＹＥＳ）、ステップＳ２２に移行する。
【００７６】
ステップＳ２２では、ＣＰＵ２１２は、上記ステップＳ２１で選択された背景部（前述の例では、市松模様Ｊ１１を備えた背景部Ｋ１１）を、使用する背景部として設定する。
【００７７】
その後、上記図６と同様のステップＳ３０、ステップＳ４０、ステップＳ５２を経て、ステップＳ６０′へ移行する。
【００７８】
ステップＳ６０′では、ＣＰＵ２１２は、上記ステップＳ４０で設定されたマーク部Ｍ１１内に、上記ステップＳ２０で操作入力された上記テキスト文字Ｔを視認可能として重ね合わせて配置し、さらに上記ステップＳ２２で設定された背景部Ｋ１１を配置した態様の、印字データを生成する。すなわち、それぞれが対応するテキスト文字Ｔに重ね合わされた複数のマーク部Ｍ１１を各マーク部ごとに包含するとともに、それぞれが所定の外枠Ｊ１１とその外枠Ｊ１１内の市松模様Ｊ１１を備えた、複数の背景部Ｋ１１が配置された印字データ（言い替えれば、市松模様Ｊ１１を備えた背景部Ｋ１１を、マーク部Ｍ１１の「ハート型」の外枠Ｆ１で切り抜き、その中に「ＡＢＣＤＥ」の各テキスト文字Ｔを入れた態様の印字データ）が生成される。このとき、マーク部Ｍ１１の外枠Ｆ１１内の一色塗りつぶし部分Ｇ１１の色は、上記ステップＳ２１で選択された背景部の外枠内の印字態様（前述の例では市松模様Ｊ１１）に応じて、白色に塗りつぶされる。これにより、マーク内の色と背景の色との対比において見やすいデザインを臨機応変に実現することができる。なお、このステップＳ６０′を実行するＣＰＵ２１２が本実施形態における印字データ生成手段として機能する。
【００７９】
また、このステップＳ６０′でも、上記第１実施形態と同様、上記ステップＳ３０で選択されたマーク部の外枠内の印字態様に応じて、テキスト文字Ｔの態様を変化させるようにしてもよい。例えばマーク部の外枠内の印字態様が透明である場合は通常のテキスト文字Ｔとし、マーク部内の外枠内の印字態様が淡い色のメッシュである場合は縁取り付きのテキスト文字Ｔとし、マーク部内の外枠内の印字態様が濃い色のメッシュあるいは黒ベタ塗り（上記の例の場合）である場合は縁取りなしのテキスト文字Ｔとしてもよい。この場合、臨機応変に見やすいデザインを実現することができる。
【００８０】
その後、ステップＳ７０〜ステップＳ１３０の各手順は、上記図６と同様であり、説明を省略する。
【００８１】
本実施形態においては、上記第１実施形態の効果に加え、外枠Ｆ１１内を一色塗りつぶし部分Ｇ１１としたマーク部Ｍ１１のさらに外側に、所定の印字態様（上記の例では市松模様Ｊ１１）で塗りつぶした背景部Ｋ１１を設けることができる（図７（ｅ）、図７（ｆ）参照）。具体的には、それぞれが所望の印字態様（上記の例では市松模様Ｊ１１）で塗りつぶされた複数の背景部Ｋ１１内に、外枠Ｆ１１内が所望の印字態様（上記の例では一色塗りつぶし部分Ｇ１１）で塗りつぶされた各マーク部Ｍ１１を配置し、各マーク部Ｍ１１内に適宜の色の各テキスト文字Ｔを配置した態様の印字ラベルＬを作成することができる。
【００８２】
この結果、さらに印字ラベルＬにおける表現性を向上し、利便性を向上することができるとともに、種々様々な態様の多彩な印字ラベルＬを容易かつ確実に作成することができ、操作者の利便性を確実に向上することができる。
【００８３】
なお、本発明は、上記２つの実施形態に限られるものではなく、その趣旨及び技術的思想を逸脱しない範囲内で種々の変形が可能である。以下、そのような変形例を順を追って説明する。なお、上記第１及び第２実施形態と同等の部分には同一の符号を付し、適宜説明を省略又は簡略化する。
【００８４】
（１）複数のマーク部を、共通の１つの背景部内に配置する場合
本変形例を図９により説明する。
【００８５】
＜テキスト文字の入力＞
本変形例でも、上記第２実施形態と同様、例えば、まず図９（ａ）に示すように、テキスト編集画面５Ａが表示され、図９（ｂ）に示すように、例えば「ＡＢＣＤＥ」からなるテキスト文字Ｔが入力される。
【００８６】
＜背景部の選択＞
その後、上記テキスト入力画面５Ａにおいて、前述と同様、背景部Ｋ１１〜Ｋ１８が一覧可能に表示される。この例では、操作者により、前述と同様、図９（ｃ）に示すように、市松模様Ｊ１１を備えた背景部Ｋ１１が選択される。
【００８７】
＜マーク部の選択＞
前述の確認メッセージを操作者が確認後、上記第２実施形態と同様のマーク部の選択が行われ、図９（ｄ）に示すように、「ハート型」の外枠Ｆ１１を備えた上記マーク部Ｍ１１が選択される。
【００８８】
前述の確認メッセージの確認操作を操作者が行うと、これまでの入力結果・選択結果に対応して、印字ラベルＬが生成される。この例では、それぞれが対応する上記テキスト文字Ｔ１，Ｔ２，Ｔ３，Ｔ４，Ｔ５に重ね合わされた複数の上記マーク部Ｍ１１（外枠Ｆ１１及び一色塗りつぶし部分Ｇ１１を備える）を、共通の１つの背景部Ｋ１１が包含した態様で、印字ラベルＬが生成される（図９（ｅ）参照）。
【００８９】
このとき、背景部Ｋ１１は、長方形の１つの外枠Ｈ１１（第２外枠に相当）とその外枠Ｈ１１内を塗りつぶすための上記市松模様Ｊ１１と、を備えている。したがって、言い替えれば、印字ラベルＬは、市松模様Ｊ１１で塗りつぶされた１つの長方形の外枠Ｈ１１内に、外枠Ｆ１１内を一色塗りつぶし部分Ｇ１１とした５個の各マーク部Ｍ１１が配置され、かつ、各マーク部Ｍ１１の外枠Ｆ１１内に、対応する上記テキスト文字Ｔ１，Ｔ２，Ｔ３，Ｔ４，Ｔ５が配置された態様（背景部Ｋ１１をマーク部Ｍ１１の外枠Ｆ１で切り抜き、その中に上記テキスト文字Ｔ１〜Ｔ５が入れられた態様）となっている。
【００９０】
なお、このとき、前述と同様、各マーク部Ｍ１１の一色塗りつぶし部分Ｇ１１の色は、上記背景部Ｋ１１の外枠Ｈ１１内の内部が市松模様Ｊ１１であることに対応して、白色塗りつぶしとなっている。
【００９１】
なお、本変形例においても、前述の図７（ｆ）と同様、図９（ｆ）に示すように、各マーク部Ｍ１１のテキスト文字Ｔごとに書式設定（この例ではフォント種類）を変えても良い。この例では、前述と同様、１つの背景部Ｋ１１内の各マーク部Ｍ１１内にそれぞれ配置される５つのテキスト文字Ｔ（「Ａ」「Ｂ」「Ｃ」「Ｄ」「Ｅ」）のうち、「Ａ］のテキスト文字Ｔ１が通常太さのゴシック体とし、「Ｂ」のテキスト文字Ｔ２が太字体、「Ｃ」のテキスト文字Ｔ３が斜字体、「Ｄ」のテキスト文字Ｔ４がＴｉｍｅｓＮｅｗＲｏｍａｎ、「Ｅ」のテキスト文字Ｔ５が明朝体となっている。
【００９２】
上述のように、本変形例においては、所望の印字態様（上記の例では市松模様Ｊ１１）で塗りつぶされた共通の１つの背景部Ｋ１１内に、外枠Ｆ１１内が所望の印字態様（上記の例では一色塗りつぶし部分Ｇ１１）でそれぞれ塗りつぶされた複数（上記の例では５個）のマーク部Ｍ１１を配置し、各マーク部Ｍ１１内に適宜の色の各テキスト文字Ｔ１〜Ｔ５を配置した態様の印字ラベルＬを作成することができる。このようにして多彩な印字ラベルを容易かつ確実に形成できることで、操作者の利便性を確実に向上することができる。
【００９３】
（２）マーク部内を背景部の色で塗りつぶす場合
本変形例を図１０により説明する。
【００９４】
＜テキスト文字の入力＞
本変形例でも、上記第２実施形態と同様、例えば、まず図１０（ａ）に示すように、テキスト編集画面５Ａが表示され、図１０（ｂ）に示すように、例えば「ＡＢＣＤＥ」からなるテキスト文字Ｔが入力される。
【００９５】
＜背景部の選択＞
その後、上記テキスト入力画面５Ａにおいて、前述と同様、背景部Ｋ１１〜Ｋ１８が一覧可能に表示される。この例では、操作者により、図１０（ｃ）に示すように、網掛け模様Ｊ１５を備えた背景部Ｋ１５が選択される。
【００９６】
＜マーク部の選択＞
前述の確認メッセージを操作者が確認後、上記第２実施形態と同様のマーク部の選択が行われ、図１０（ｄ）に示すように、「ハート型」の外枠Ｆ１１を備えた上記マーク部Ｍ１１が選択される。
【００９７】
前述の確認メッセージの確認操作を操作者が行うと、これまでの入力結果・選択結果に対応して、印字ラベルＬが生成される。この例では、
図１０（ｅ）に示すように、それぞれが上記選択された背景部に対応した印字態様（この例では網掛け模様Ｊ１５）で塗りつぶされた各マーク部Ｍ１１の外枠Ｆ１１内を、適宜の色の各テキスト文字Ｔで切り抜いた態様の印字ラベルＬが作成される。
【００９８】
このとき、選択された背景部の外枠内の印字態様（上記の例では背景部Ｋ１５の網掛け模様Ｊ１５）に応じて、テキスト文字Ｔの態様が変化する。すなわち、この例では、背景部Ｋ１５内の外枠内の印字態様が濃い色のメッシュ（網掛け模様Ｊ１５）であることから、縁取りなしのテキスト文字Ｔとされている（図１０（ｅ）参照。黒ベタ塗りの場合も同様）。また、上記以外にも、例えば選択された背景部の外枠内の印字態様が透明である場合は通常のテキスト文字Ｔとし、選択された背景部内の外枠内の印字態様が淡い色のメッシュである場合は縁取り付きのテキスト文字Ｔとすればよい。このようにすることで、臨機応変に見やすいデザインを実現することができる。
【００９９】
上述のように、本変形例においては、それぞれ所望の印字態様（上述の例では網かけ模様Ｊ１５で塗りつぶされた各マーク部Ｍ１１を適宜の色の各テキスト文字で切り抜いた態様）の印字ラベルＬを形成することができる。このようにして多彩な印字ラベルを容易かつ確実に形成できることで、操作者の利便性を確実に向上することができる。
【０１００】
（３）その他
なお、以上は、印字装置として、被印字テープに所望の印刷を行って印字ラベルを作成する印字ラベル作成装置に対し本発明を適用した場合を例にとって説明したが、これに限られない。すなわち、例えばＡ４、Ａ３、Ｂ４、Ｂ５サイズ等の通常の被印刷用紙に画像を形成したり文字を印刷するプリンタや、バッテリ電源により駆動される携帯用プリンタに対し、本発明を適用してもよい。この場合も同様の効果を得る。
【０１０１】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１０２】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
但し、例えばしきい値や基準値等、所定の判定基準となる値あるいは区切りとなる値の記載がある場合は、それらに対しての「同一」「等しい」「異なる」等は、上記とは異なり、厳密な意味である。
【０１０３】
なお、以上において、図４等の各図中に示す矢印は信号の流れの一例を示すものであり、信号の流れ方向を限定するものではない。
【０１０４】
また、図６、図８に示すフローチャートは本発明を上記フローに示す手順に限定するものではなく、発明の趣旨及び技術的思想を逸脱しない範囲内で手順の追加・削除又は順番の変更等をしてもよい。
【０１０５】
また、以上既に述べた以外にも、上記実施形態や各変形例による手法を適宜組み合わせて利用しても良い。
【０１０６】
その他、一々例示はしないが、本発明は、その趣旨を逸脱しない範囲内において、種々の変更が加えられて実施されるものである。
【符号の説明】
【０１０７】
１                印字ラベル作成装置（印字装置）
３                キーボード（操作手段）
２３              サーマルヘッド（印字手段）
１０３            カバーフィルム（被印字媒体）
１０８            テープ送りローラ駆動軸（搬送手段）
２１２            ＣＰＵ
２１４            ＥＥＰＲＯＭ
２１４ａ          マーク記憶部（記憶手段）
２１４ｂ          背景記憶部
Ｆ１１〜１６      外枠（第１外枠）
Ｇ１１〜１６      一色塗りつぶし部分（第１印字態様）
Ｈ１１            外枠（第２外枠）
Ｊ１１            市松模様（第２印字態様）
Ｊ１２            ダイヤ連鎖模様（第２印字態様）
Ｊ１３            碁盤目模様（第２印字態様）
Ｊ１４            レンガ壁模様（第２印字態様）
Ｊ１５            網かけ模様（第２印字態様）
Ｊ１６            斜線ハッチング（第２印字態様）
Ｊ１７            波形ハッチング（第２印字態様）
Ｊ１８            網模様（第２印字態様）
Ｋ１１〜１８      背景部
Ｌ                印字ラベル
Ｍ１１〜１６      マーク部
Ｔ                テキスト文字
【図１】
0006379987.tif 000002
【図２】
0006379987.tif 000003
【図３】
0006379987.tif 000004
【図４】
0006379987.tif 000005
【図５】
0006379987.tif 000006
【図６】
0006379987.tif 000007
【図７】
0006379987.tif 000008
【図８】
0006379987.tif 000009
【図９】
0006379987.tif 000010
【図１０】
0006379987.tif 000011